(57)【要約】【課題】陳列構造体の各区画の特徴をより分かりやすく提示すること。【解決手段】一実施形態に係る陳列構造体は、境界を挟んで隣り合う第１区画および第２区画を備える。第１区画および第２区画のそれぞれは、陳列品が取り出される側の面である前面を有する。第１区画の前面のうち５０％を超える領域が第１の色を有し、第２区画の前面のうち５０％を超える領域が第２の色を有する。【選択図】図１
2017176614.tif 000002
【特許請求の範囲】
【請求項１】
境界を挟んで隣り合う第１区画および第２区画を備え、
前記第１区画および前記第２区画のそれぞれが、陳列品が取り出される側の面である前面を有し、
前記第１区画の前記前面のうち５０％を超える領域が第１の色を有し、前記第２区画の前記前面のうち５０％を超える領域が第２の色を有する、
陳列構造体。
【請求項２】
前記第１区画の前記前面の略全体が前記第１の色を有し、前記第２区間の前記前面の略全体が前記第２の色を有する、
請求項１に記載の陳列構造体。
【請求項３】
前記第１区画の収容空間の内壁の総面積のうち５０％を超える面積の部分が前記第１の色を有し、前記第２区画の収容空間の内壁の総面積のうち５０％を超える面積の部分が前記第２の色を有する、
請求項１または２に記載の陳列構造体。
【請求項４】
前記第１区画の前記内壁の略全体が前記第１の色を有し、前記第２区画の前記内壁の略全体が前記第２の色を有する、
請求項３に記載の陳列構造体。
【請求項５】
前記第１区画の前記前面が、少なくとも一部に前記第１の色を有するパネルを含み、
前記第２区画の前記前面が、少なくとも一部に前記第２の色を有するパネルを含む、
請求項１〜４のいずれか一項に記載の陳列構造体。
【請求項６】
前記陳列品がワインである、
請求項１〜５のいずれか一項に記載の陳列構造体。
【請求項７】
前記第１区画および前記第２区画の少なくとも一方が、ワインボトルを前後方向に沿って横にまたは斜めに置くための複数の収容空間を有し、各収容空間が一つのワインボトルの寸法に応じて設定される、
請求項６に記載の陳列構造体。
【請求項８】
前記収容空間の底面に、前記ワインボトルを安定しておくための止め部が形成された、
請求項７に記載の陳列構造体。
【請求項９】
前記第１の色および前記第２の色がワインの属性に対応する、
請求項６〜８のいずれか一項に記載の陳列構造体。
【請求項１０】
境界を挟んで隣り合う第１区画および第２区画を備え、
前記第１区画の収容空間の内壁の総面積のうち５０％を超える面積の部分が第１の色を有し、前記第２区画の収容空間の内壁の総面積のうち５０％を超える面積の部分が第２の色を有する、
陳列構造体。
【請求項１１】
境界を挟んで隣り合う第１区画および第２区画を備え、
前記第１区画および前記第２区画のそれぞれが、陳列品が取り出される側の面である前面と、収容空間の内壁とを有し、
前記第１区画の前記前面の面積と前記内壁の総面積との合計のうち５０％を超える面積の部分が第１の色を有し、前記第２区画の前記前面の面積と前記内壁の総面積との合計のうち５０％を超える面積の部分が第２の色を有する、
陳列構造体。
【請求項１２】
複数の物品が属性に基づいて少なくとも第１物品グループおよび第２物品グループに分類され、第１物品グループが前記第１区画に陳列され、第２物品グループが前記第２区画に陳列される、
請求項１〜１１のいずれか一項に記載の陳列構造体。
【請求項１３】
複数の物品を属性に基づいて少なくとも第１物品グループおよび第２物品グループに分類する分類ステップと、
請求項１〜１０のいずれか一項に記載の陳列構造体の前記第１区画に前記第１物品グループの物品を陳列し、該陳列構造体の前記第２区画に前記第２物品グループの物品を陳列する陳列ステップと
を含む物品陳列方法。
【発明の詳細な説明】
【技術分野】
【０００１】
本発明の一側面は、物品を陳列するための構造体、および物品陳列方法に関する。
【背景技術】
【０００２】
従来から、物品を陳列するための構造が知られている（例えば下記特許文献１に記載の店舗用陳列棚）。一般に、陳列構造体には陳列品を説明したプレートまたはシールが取り付けられる。陳列構造体から物品を取ろうとする客はその説明（例えば、商品名、価格、商品の特徴、宣伝文句）を参考に物品を選ぶ。また、どの陳列構造体にどの種類の商品が陳列されているかを分かりやすく伝えるために、各陳列構造体の端や天井などの特定の領域に案内板（例えば、商品の分類が記載されたプレート）を設けることもよく行われている。客はその目印を頼りに、目当ての品が置かれている場所を探す。
【先行技術文献】
【特許文献】
【０００３】
【特許文献１】特開２０００−４９９９号公報
【発明の概要】
【発明が解決しようとする課題】
【０００４】
しかし、上述したようなプレートまたはシールに記載の文字は小さいので、客はそのシールまたはプレートを一つずつ確認しながら目当ての品を探す必要がある。また、目当ての品が置かれている場所を探すためには、特定の場所に設けられた案内板に目を向ける必要がある。客が目当ての品を得るために陳列構造体をくまなく探すこともよく見る風景である。そこで、陳列構造体の各区画の特徴をより分かりやすく提示することが望まれている。
【課題を解決するための手段】
【０００５】
本発明の一側面に係る陳列構造体は、境界を挟んで隣り合う第１区画および第２区画を備え、第１区画および第２区画のそれぞれが、陳列品が取り出される側の面である前面を有し、第１区画の前面のうち５０％を超える領域が第１の色を有し、第２区画の前面のうち５０％を超える領域が第２の色を有する。
【０００６】
このような側面においては、隣り合う二つの区画のそれぞれにおいて、前面の半分を超える領域が色付けされる。ここで、二つの区画の色は異なる。そのため、人がその区画の任意の部分に目を向けた際にその区画の色がその人の視界に入る確率が高くなり、かつ、人はその色を見ることで各区画の特徴を直感的に把握することができる。すなわち、陳列構造体の各区画の特徴をより分かりやすく提示することができる。
【発明の効果】
【０００７】
本発明の一側面によれば、陳列構造体の各区画の特徴をより分かりやすく提示することができる。
【図面の簡単な説明】
【０００８】
【図１】実施形態に係る陳列構造体の一例を示す図である。
【図２】実施形態に係る陳列構造体の別の例を示す図である。
【図３】図２に示す陳列構造体の一部を示す斜視図である。
【発明を実施するための形態】
【０００９】
以下、添付図面を参照しながら本発明の実施形態を詳細に説明する。なお、図面の説明において同一または同等の要素には同一の符号を付し、重複する説明を省略する。
【００１０】
図１〜図３を参照しながら、実施形態に係る陳列構造体１０について説明する。図１は陳列構造体１０の一例を示す図である。図２は陳列構造体１０の別の例を示す図である。図３は図２に示す陳列構造体１０の一部を示す斜視図である。
【００１１】
陳列構造体とは、物品を陳列するための構造物である。陳列構造体が設けられる場所および目的は何ら限定されない。例えば陳列構造体は店舗に設置され、この場合には、その店舗で販売される物品（すなわち、商品）がその陳列構造体に置かれる。本明細書における「物品」とは、陳列構造体に置かれる任意の有体物であり、その具体的な種類は何ら限定されるものではない。例えば、物品は店舗で販売される任意の商品であり得る。物品の具体的な例として食品、飲料、電化製品、本、生活雑貨、医薬品などが挙げられる。当然ながら、陳列構造体の具体的な構成（例えば、全体の形状および寸法、個々の棚の形状および寸法）は物品の種類および陳列構造体の設置場所により変わり得る。
【００１２】
本実施形態では、あくまでも一例として、ワインボトルを置くための陳列構造体１０を説明する。図１は、１〜５の番号が付された、白ワインを置くための陳列構造体１０と、６〜１０の番号が付された、赤ワインを置くための陳列構造体１０とを示す。複数の陳列構造体１０を設ける場合の各陳列構造体１０の配置は任意に決めてよい。例えば複数の陳列構造体１０を一列に並べたり、二つの陳列構造体１０を向かい合うように並べたり、二つの陳列構造体１０が直交するようにこれらを並べたりしてもよい。当然ながら、複数の陳列構造体１０を設置することは必須ではなく、陳列構造体１０を一つのみ設置してその中に白ワインおよび赤ワインを陳列してもよい。当然ながら、ワインの種類は白ワインおよび赤ワインに限らず、例えばスパークリングワインおよびロゼワインなどの他の種類も存在する。陳列構造体１０に置くワインの種類は何ら限定されない。
【００１３】
本明細書では、陳列品（陳列構造体に置かれた物品）が取り出される側を陳列構造体の前側と定義し、その反対側を陳列構造体の後側と定義する。また、地表に近い側を陳列構造体の下側と定義し、その反対側を陳列構造体の上側と定義する。さらに、陳列構造体の前後方向および上下方向と直交する方向を陳列構造体の幅方向（左右方向）と定義する。
【００１４】
陳列構造体１０は、上下方向に沿って延びる仕切板１２により画定された複数の区画１１を有する。すなわち、仕切板１２は区画１１の境界としての側面を持つ。本実施形態では、陳列構造体１０は５個の区画１１を有するが、一つの陳列構造体における区画の個数は限定されない。それぞれの区画１１は前面１３を有する。「区画の前面」とは、陳列品（陳列構造体に置かれた物品）が取り出される側の面である。「区画の前面」は、陳列構造体から物品を取り出そうとする人の視界に入る面であるということもできる。もし陳列構造体１０が店舗に設置された場合には、「区画の前面」は、その店舗を訪れた客が商品を取り出す側の面に相当する。場合によっては、この前面は、物品が陳列構造体に入れられる側の面でもあり得る。
【００１５】
図１の例では、各区画１１は、区画１１の上部に設けられたパネル１４と、パネル１４の下に設けられた展示棚１５と、展示棚１５の下に設けられた陳列棚１６とを備える。
【００１６】
パネル１４は、幅方向および上下方向の双方において一定以上の寸法を有する平板である。本実施形態ではパネル１４の面は平面であるが、この面は曲面であってもよいしギザギザの面であってもよい。本実施形態ではパネル１４の下部に区画の番号（１〜１０）が示されているが、この番号は必須の要素ではない。あるいは、パネル１４に任意の文字、記号、または図柄が付されてもよい。展示棚１５は区画１１内に陳列されるワインを展示するための部分であり、ここではワインボトルが縦に置かれる。陳列棚１６は、人により取り出されるワインボトルを収容する部分である。図１は、ワインボトルを前後方向（奥行方向）に沿って横に置く部分（横置き部）と、ワインボトルを立てて置く部分（縦置き部）とを有する陳列棚１６を示す。
【００１７】
図１の例では、区画１１の前面１３はパネル１４と、展示棚１５を規定する枠と、陳列棚１６を規定する枠とから成る。ワインボトルが置かれる展示棚１５および陳列棚１６の各収容部の底面には、ワインボトルを安定して置くための任意の止め部（例えば、底面に取り付けられた凸部、波状に形成された底面など）が設けられてもよい。「ワインボトルを安定して置く」とは、ワインボトルの姿勢が意図した状態を保つように該ワインボトルを置くことを意味し、例えば、ワインボトルが意図せず転がったり倒れたりしないように該ワインボトルを置くことである。本実施形態では、横置き部の個々の収容空間が一つのワインボトルの寸法に応じて設定され、該収容空間には一つのワインボトルのみを置くことができる。しかし、横置き部の各収容空間が複数のワインボトルを収容できてもよい。本実施形態では、縦置き部の個々の収容空間に複数のワインボトルを置くことができるが、縦置き部の各収容空間に一つのワインボトルのみを置けるように縦置き部が設計されてもよい。
【００１８】
展示棚１５および陳列棚１６の収容空間を形成する内壁は、区画の前面の一部ではない。「区画の前面」とは、区画の前側のうち、任意の物体の陳列または収容を意図しない部分の領域であるということもできる。例えば、区画の前面は、パネル１４のような面（この面は平面、曲面、またはギザギザの面であってもよい）と枠の前面とから成る。
【００１９】
各区画１１は上記の構成（デザイン）に限定されるものではない。例えば、パネルおよび展示部の位置はどこでもよいし、これらの要素の少なくとも一つが省略されてもよい。陳列部は横置き部および縦置き部のどちらか一方のみを備えてもよい。また、陳列部は、ワインボトルを前後方向に沿って斜めに置く部分を備えてもよい。図１の例ではすべての区画１１の構成が同じであるが、陳列構造体は他の区画とは異なる構成（デザイン）の区画を有してもよい。
【００２０】
人が個々の区画を視覚的に区別することができるように、各区画１１の前面１３の少なくとも一部は色付けされる。任意の一つの区画１１の色は、隣接する１以上の区画１１の色のすべてと異なるように設定される。その視覚的な区別を容易にするために、各区画１１について、前面１３のうちＴａ％を超える領域に単一の色が施される。閾値Ｔａは５０以上１００未満の任意の値であってよい。例えば、その閾値Ｔａは５０、６０、７０、８０、または９０でもよい。あるいは、各区画１１の前面１３の全体または略全体に単一の色が施されてもよい。すなわち、前面１３の１００％またはほぼ１００％に単一の色が施されてもよい。ここで、「略全体」とは、人が「全体」の場合と同視し得る場合を意味し、例えば閾値Ｔａが８０以上（例えば、８０、８１、８２、８３、８４、８５、８６、８７、８８、８９、９０、９１、９２、９３、９４、９５、９６、９７、９８、または９９）である場合に相当する。
【００２１】
本明細書では、境界を挟んで隣り合う任意の二つの区画を第１区画および第２区画という。仕切板１２を挟んで隣り合う任意の二つの区画１１を第１区画および第２区画とすると、第１区画の前面のうち５０％を超える領域が第１の色を有し、第２区画の前面のうち５０％を超える領域が、第１の色とは異なる第２の色を有する。図１は、各区画１１の前面１３の全体または略全体に単一の色が施された例を示す。本明細書では、各区画１１の前面１３のＴａ％を超える領域（ただしＴａ≧５０）に施される単一色を「主たる色」ともいう。前面１３のうち主たる色が施される領域の割合が１００未満である場合には、主たる色が施されない領域では別の色が施されてもよいし塗装がされなくてもよい。塗装がされない場合には区画１１の枠材の地色が見えることになる。閾値Ｔａは、すべての区画１１で共通であってもよいし、個々の区画１１で異なってもよい。
【００２２】
各区画１１の前面１３の半分を超える領域に単一の色を施すことで、人がその区画１１の任意の部分に目を向けた際にその区画１１の色がその人の視界に入る確率が高くなる。さらに、その人はその色を見ることで区画の特徴を直感的に把握することができる。ここで、本明細書における「区画の特徴」とは、区画そのものの特徴と、区画に陳列された物品の特徴との双方を包含する概念である。ワインを例に説明すると、ワインの種類（赤ワイン、白ワインなど）および属性（味わいなど）は「区画の特徴」の例である。
【００２３】
各区画１１の主たる色を何にするかは任意に決めてよい。例えば、各区画１１の主たる色を陳列品の属性を連想するような色にしてもよい。例えば、白ワインのための陳列構造体１０の各区画１１に青系統の色を施してもよいし、赤ワインのための陳列構造体１０の各区画１１に赤系統の色を施してもよい。あるいは、白ワインのための陳列構造体１０の各区画１１に寒色を施し、赤ワインのための陳列構造体１０の各区画１１に暖色を施してもよい。また、白ワインまたは赤ワインの味わいのレベルに合わせて区画１１を設定した上で、陳列構造体１０の色が一端から他端にかけて次第に変わっていくように各区画１１を色付けてもよい（すなわち、グラデーションを施してもよい）。このように、各区画の主たる色を陳列品の属性に対応させることで、各区画に置かれている商品の特徴を直感的に人に伝えることができる。
【００２４】
図２および図３に示すように、各区画１１の前面１３を塗装することに加えて、物品を収容する空間の内壁１８に前面１３と同じ色（その区画１１の主たる色）を施してもよい。本実施形態では、内壁１８は、前面と交差する任意の側壁と、奥の壁とを含む。しかし、奥の壁は存在しなくてもよい。一つの区画１１における収容空間の内壁１８の総面積のうちＴｂ％を超える面積の部分に主たる色が施される。閾値Ｔｂは５０以上１００未満の任意の値であってよい。例えば、その閾値Ｔｂは５０、６０、７０、８０、または９０でもよい。あるいは、図２および図３に示すように、各区画１１の内壁１８の全体または略全体に単一の色が施されてもよい。「略全体」の考え方は前面１３の場合と同様である。ある一つの区画１１において、閾値Ｔｂは閾値Ｔａと同じであってもよいし異なってもよい。
【００２５】
物品は、属性に基づいて複数の物品グループ（少なくとも第１物品グループおよび第２物品グループ）に分類された上で、一つの物品グループが一つの区画１１に対応するように陳列構造体１０に陳列されてもよい。例えば、５個のグループに分けられた白ワインが番号１〜５の区画１１にグループ毎に陳列され、５個のグループに分けられた赤ワインが番号６〜１０の区画１１にグループ毎に陳列されてもよい。
【００２６】
このことを物品陳列方法の観点からみると、陳列構造体１０の使用者（例えば、店舗の従業員）は、まず、複数の物品を属性に基づいて少なくとも第１物品グループおよび第２物品グループに分類する（分類ステップ）。続いて、その使用者は陳列構造体１０の第１区画に第１物品グループの物品を陳列し、陳列構造体１０の第２区画に第２物品グループの物品を陳列する（陳列ステップ）。例えば、使用者は、白ワインをその属性に基づいて５個のグループに分け、番号１〜５の区画１１にグループ毎にその白ワインを陳列する。また、使用者は赤ワインをその属性に基づいて５個のグループに分け、番号６〜１０の区画１１にグループ毎に赤ワインを陳列する。このように物品グループと区画とが対応するように物品を陳列することで、各区画の色を用いて物品の特徴を分かりやすく人（例えば、店舗を訪れた客）に伝えることができる。
【００２７】
以上説明したように、本発明の一側面に係る陳列構造体は、境界を挟んで隣り合う第１区画および第２区画を備え、第１区画および第２区画のそれぞれが、陳列品が取り出される側の面である前面を有し、第１区画の前面のうち５０％を超える領域が第１の色を有し、第２区画の前面のうち５０％を超える領域が第２の色を有する。
【００２８】
このような側面においては、隣り合う二つの区画のそれぞれにおいて、前面の半分を超える領域が色付けされる。ここで、二つの区画の色は異なる。そのため、人がその区画の任意の部分に目を向けた際にその区画の色がその人の視界に入る確率が高くなり、かつ、人はその色を見ることで各区画の特徴を直感的に把握することができる。すなわち、陳列構造体の各区画の特徴をより分かりやすく提示することができる。
【００２９】
他の側面に係る陳列構造体では、第１区画の前面の略全体が第１の色を有し、第２区間の前面の略全体が第２の色を有してもよい。各区画の略全体を色付けすることで、人がその区画の任意の部分に目を向けた際にほぼ確実にその区画の色がその人の視界に入ることが期待できる。
【００３０】
他の側面に係る陳列構造体では、第１区画の収容空間の内壁の総面積のうち５０％を超える面積の部分が第１の色を有し、第２区画の収容空間の内壁の総面積のうち５０％を超える面積の部分が第２の色を有してもよい。内壁も色付けすることで、人が任意の区画の任意の部分に目を向けた際にその区画の色がその人の視界に入る確率をより高くすることができる。また、人が陳列構造体を正面からではなく斜めから見た場合にも各区画の色がはっきりとその人の視界に入ることが期待できる。
【００３１】
他の側面に係る陳列構造体では、第１区画の内壁の略全体が第１の色を有し、第２区画の内壁の略全体が第２の色を有してもよい。内壁の略全体を色付けすることで、人がその区画の任意の部分に任意の方向から目を向けた際にほぼ確実にその区画の色がその人の視界に入ることが期待できる。
【００３２】
他の側面に係る陳列構造体では、第１区画の前面が、少なくとも一部に第１の色を有するパネルを含み、第２区画の前面が、少なくとも一部に第２の色を有するパネルを含んでもよい。２次元状に広がるパネルを設け、該パネルの少なくとも一部に区画に対応する色を施すことで、区画の色が人の視界に入る確率を高くすることができる。
【００３３】
他の側面に係る陳列構造体では、陳列品がワインであってもよい。この場合には、ワインの陳列において各区画の特徴を分かりやすくすることができる。
【００３４】
他の側面に係る陳列構造体では、第１区画および第２区画の少なくとも一方が、ワインボトルを前後方向に沿って横にまたは斜めに置くための複数の収容空間を有し、各収容空間が一つのワインボトルの寸法に応じて設定されてもよい。この場合には、その収容空間を画定する枠が増えるので、区画の前面として機能する該枠の前面の面積が増大し、その結果、着色される領域も増える。したがって、人がその区画の任意の部分に目を向けた際にその区画の色がその人の視界に入る確率がより高くなる。また、各収容空間が一つのワインボトルに対応するので、ワインの在庫状況を直感的に人に伝えることができる。
【００３５】
他の側面に係る陳列構造体では、収容空間の底面に、ワインボトルを安定しておくための止め部が形成されてもよい。底面に止め部を設けることで、ワインボトルの姿勢が意図した状態を保つように該ワインボトルを置くことができる。
【００３６】
他の側面に係る陳列構造体では、第１の色および第２の色がワインの属性に対応してもよい。この場合には、どの区画にどのようなワインが陳列されているかを分かりやすく提示することができる。
【００３７】
他の側面に係る陳列構造体では、複数の物品が属性に基づいて少なくとも第１物品グループおよび第２物品グループに分類され、第１物品グループが第１区画に陳列され、第２物品グループが第２区画に陳列されてもよい。この場合には、区画の色を用いて物品（陳列品）の属性を人に分かりやすく提示することができる。
【００３８】
本発明の一側面に係る物品陳列方法は、複数の物品を属性に基づいて少なくとも第１物品グループおよび第２物品グループに分類する分類ステップと、上記陳列構造体の第１区画に第１物品グループの物品を陳列し、該陳列構造体の第２区画に第２物品グループの物品を陳列する陳列ステップとを含む。この場合には、区画の色を用いて物品（陳列品）の属性を人に分かりやすく提示することができる。
【００３９】
以上、本発明をその実施形態に基づいて詳細に説明した。しかし、本発明は上記実施形態に限定されるものではない。本発明は、その要旨を逸脱しない範囲で様々な変形が可能である。
【００４０】
上記実施形態では仕切板１２が上下方向に沿って設けられたが、仕切板は幅方向に沿って設けられてもよい。この場合には区画は上下方向に沿って並ぶ。あるいは、陳列構造体の前側から見て各区画が格子状に並ぶように仕切板が設けられてもよい。この場合、二つの区画（第１区画および第２区画）が隣り合うとは、上下方向または幅方向に沿って見た場合に双方の区画の少なくとも一部が並ぶ場合を意味する。
【００４１】
仕切板の前面が塗装されてもよい。この場合に、仕切板の前面の色は、隣接する２区画の前面の色と異なってもよいし、該２区画のどちらか一方の色と同じでもよいし、該２区画の境界が分かるように該２区画の色の双方を含んでもよい。
【００４２】
上記実施形態では仕切板１２が隣り合う２区画の境界として機能したが、仕切板は必須ではない。例えば、隣り合う２区画のうちの少なくとも一方の区画の側板が境界として機能してもよい。
【００４３】
陳列構造体の色付けの方法は上記実施形態に限定されない。例えば下記のような様々な変形が為されてもよい。
【００４４】
各区画において、前面に主たる色を施すことなく、物品を収容する空間の内壁に単一の色を施してもよい。ただし、一つの区画における収容空間の内壁の総面積のうちＴｂ％（Ｔｂ≧５０）を超える面積の部分に単一の色が施される。この場合も、境界を挟んで隣り合う第１区画および第２区画において、第１区画には第１の色が施され、第２区画には第２の色が施される。
【００４５】
すなわち、他の側面に係る陳列構造体は、境界を挟んで隣り合う第１区画および第２区画を備え、第１区画の収容空間の内壁の総面積のうち５０％を超える面積の部分が第１の色を有し、第２区画の収容空間の内壁の総面積のうち５０％を超える面積の部分が第２の色を有する。
【００４６】
このような側面においては、隣り合う二つの区画のそれぞれにおいて、内壁の総面積の半分を超える領域が色付けされる。ここで、二つの区画の色は異なる。そのため、人がその区画の任意の部分に目を向けた際にその区画の色がその人の視界に入る確率が高くなり、かつ、人はその色を見ることで各区画の特徴を直感的に把握することができる。すなわち、陳列構造体の各区画の特徴をより分かりやすく提示することができる。
【００４７】
各区画において、前面の面積と物品を収容する空間の内壁の総面積との合計のうちＴｃ％（Ｔｃ≧５０）を超える面積の部分に主たる色が施されてもよい。閾値Ｔｃは５０以上１００未満の任意の値であってよい。例えば、その閾値Ｔｃは５０、６０、７０、８０、または９０でもよい。あるいは、前面および各内壁の全体または略全体に単一の色が施されてもよい。「略全体」の考え方は上記実施形態と同様である。この場合も、境界を挟んで隣り合う第１区画および第２区画において、第１区画には第１の色が施され、第２区画には第２の色が施される。
【００４８】
すなわち、他の側面に係る陳列構造体は、境界を挟んで隣り合う第１区画および第２区画を備え、第１区画および第２区画のそれぞれが、陳列品が取り出される側の面である前面と、収容空間の内壁とを有し、第１区画の前面の面積と内壁の総面積との合計のうち５０％を超える面積の部分が第１の色を有し、第２区画の前面の面積と内壁の総面積との合計のうち５０％を超える面積の部分が第２の色を有する。
【００４９】
このような側面においては、隣り合う二つの区画のそれぞれにおいて、前面および内壁を合わせた領域のうち半分を超える領域が色付けされる。ここで、二つの区画の色は異なる。そのため、人がその区画の任意の部分に目を向けた際にその区画の色がその人の視界に入る確率が高くなり、かつ、人はその色を見ることで各区画の特徴を直感的に把握することができる。すなわち、陳列構造体の各区画の特徴をより分かりやすく提示することができる。
【符号の説明】
【００５０】
１０…陳列構造体、１１…区画、１２…仕切板、１３…前面、１４…パネル、１５…展示棚、１６…陳列棚、１８…内壁。
【図１】
2017176614.tif 000003
【図２】
2017176614.tif 000004
【図３】
2017176614.tif 000005